(57)【要約】【課題】ハイブリッド型のコネクタにおいて端子金具が半挿入状態で留め置かれることを防ぐ。【解決手段】ハウジング２０には、長い方の雌側端子金具１０Ｌが挿入されるキャビティ２２Ｌと、短い方の雌側端子金具１０Ｓが挿入されるキャビティ２２Ｓとが混在して設けられている。短い方の雌側端子金具１０Ｓについては、半挿入状態となる範囲Ｄが比較的大きい。そこで、短い方の雌側端子金具１０Ｓをキャビティ２２Ｓに挿入する際には、ハウジング２０の下壁に形成された確認窓２８を通してキャビティ２２Ｓ内を目視し、雌側端子金具１０Ｓの後端が確認窓２８の前端よりも奥側に隠れるような位置まで雌側端子金具１０Ｓを挿入する。これにより、雌側端子金具１０Ｓが半挿入状態で留め置かれることを防止できる。【選択図】　図１
2004055227.tif 000002
【特許請求の範囲】
【請求項１】
長さ寸法の異なる複数種の端子金具をハウジングに設けられたキャビティ内に後方から挿入するようにしたコネクタであって、
前記ハウジングの外壁には、短い方の前記端子金具が収容される前記キャビティの後部に開口して、そのキャビティに挿入される端子金具の後端の深さ位置を確認可能とする確認窓が形成されていることを特徴とするコネクタ。
【請求項２】
前記確認窓は、前記ハウジングの外壁における後端から前方へ延びる溝状に形成されていることを特徴とする請求項１に記載のコネクタ。
【請求項３】
前記確認窓は、前記ハウジングの外壁における後端から離間した位置に開口して形成されていることを特徴とする請求項１に記載のコネクタ。
【請求項４】
前記ハウジングには、前記キャビティに対する前記端子金具の挿入を許容する仮係止位置と前記キャビティ内に収容された前記端子金具に抜け止め状態で係止する本係止位置との両位置に保持可能なリテーナが組み付けられるとともに、このリテーナには、前記仮係止位置において前記確認窓と重なる位置に、リテーナ側確認窓が開口して形成されていることを特徴とする請求項１から請求項３のいずれかに記載のコネクタ。
【発明の詳細な説明】
【０００１】
【発明の属する技術分野】
本発明は、ハウジングに長さ寸法の異なる複数種の端子金具を収容するコネクタに関する。
【０００２】
【従来の技術】
コネクタのうちには、ハイブリッド型コネクタと称して、長さ寸法の異なる複数種の端子金具を混在させてハウジングに収容する形式のものがある。図１１には、ハイブリッド型コネクタの一例が示されており、このものでは、ハウジング１に上下２段に設けられたキャビティ２Ｌ，２Ｓのうち、上段のキャビティ２Ｌに長い方の端子金具３Ｌが挿入され、下段のキャビティ２Ｓに短い方の端子金具３Ｓが挿入されるようになっている。各キャビティ２Ｌ，２Ｓ内には撓み変形可能なランス４Ｌ，４Ｓが設けられ、これらが端子金具３Ｌ，３Ｓに対し弾性的に係止可能となっている。また、ハウジング１の上下面にはそれぞれキャビティ２Ｌ，２Ｓ内に突出可能な係止突部５Ａ，５Ｂを備えたリテーナ６Ａ，６Ｂが組み付けられている。リテーナ６Ａ，６Ｂは、係止突部５Ａ，５Ｂがキャビティ２Ｌ，２Ｓから退避して端子金具３Ｌ，３Ｓのキャビティ２Ｌ，２Ｓへの挿抜を許容する仮係止位置と、係止突部５Ａ，５Ｂがキャビティ２Ｌ，２Ｓ内に進出して挿入された端子金具３Ｌ，３Ｓに係止する本係止位置とに保持可能となっている。組み付けに際しては、リテーナ６Ａ，６Ｂを仮係止位置に保持しておき、端子金具３Ｌ，３Ｓを対応するキャビティ２Ｌ，２Ｓに挿入する。端子金具３Ｌ，３Ｓが正規の深さ位置まで挿入されると、ランス４Ｌ，４Ｓが端子金具３Ｌ，３Ｓに弾性的に係止する。続いて、リテーナ６Ａ，６Ｂを本係止位置へ移動させることで係止突部５Ａ，５Ｂが端子金具３Ｌ，３Ｓに係止し、これにより端子金具３Ｌ，３Ｓが二重に抜け止めされた状態となる。
なお、リテーナにて端子金具を二重に係止するコネクタの一例として、特開平８−２９３３４３号公報に記載されたものがある。
【０００３】
【発明が解決しようとする課題】
端子金具３Ｌ，３Ｓをキャビティ２Ｌ，２Ｓに挿入する際には、端子金具３Ｌ，３Ｓがランス４Ｌ，４Ｓの係止する正規の深さ位置まで至らない、半挿入状態となることがある。ハウジング１の後端から端子金具３Ｌ，３Ｓの後端が突出している場合には、半挿入状態であることが明らかであるので、実際には端子金具３Ｌ，３Ｓは、その後端が少なくともハウジング２０の後端より内側に隠れる位置までは挿入されることになる。長い方の端子金具３Ｌについては、半挿入状態となるような範囲Ａ（端子金具３Ｌの後端位置における範囲、以下同様）が比較的小さく、半挿入状態であった場合でも、リテーナ６Ａを仮係止位置から本係止位置に移動するのに伴って、端子金具３Ｌが係止突部５Ａによって正規の深さ位置へと押し込まれて、正常に組み付けを完了することができる。しかしながら、短い方の端子金具３Ｓについては、半挿入状態となる範囲Ｂが比較的大きくなることから、端子金具３Ｓの位置によってはリテーナ６Ｂで端子金具３Ｓを正規の深さ位置まで押し込めないことが起こり得るという問題があった。
本発明は、上記事情に鑑みてなされたもので、その目的は、ハイブリッド型のコネクタにおいて端子金具が半挿入状態で留め置かれることを防ぐことにある。
【０００４】
【課題を解決するための手段】
上記の課題を解決するための請求項１の発明に係るコネクタは、長さ寸法の異なる複数種の端子金具をハウジングに設けられたキャビティ内に後方から挿入するようにしたコネクタであって、前記ハウジングの外壁には、短い方の前記端子金具が収容される前記キャビティの後部に開口して、そのキャビティに挿入される端子金具の後端の深さ位置を確認可能とする確認窓が形成されているところに特徴を有する。
【０００５】
請求項２の発明は、請求項１に記載のものにおいて、前記確認窓は、前記ハウジングの外壁における後端から前方へ延びる溝状に形成されているところに特徴を有する。
【０００６】
請求項３の発明は、請求項１に記載のものにおいて、前記確認窓は、前記ハウジングの外壁における後端から離間した位置に開口して形成されているところに特徴を有する。
【０００７】
請求項４の発明は、請求項１から請求項３のいずれかに記載のものにおいて、前記ハウジングには、前記キャビティに対する前記端子金具の挿入を許容する仮係止位置と前記キャビティ内に収容された前記端子金具に抜け止め状態で係止する本係止位置との両位置に保持可能なリテーナが組み付けられるとともに、このリテーナには、前記仮係止位置において前記確認窓と重なる位置に、リテーナ側確認窓が開口して形成されているところに特徴を有する。
【０００８】
【発明の作用および効果】
請求項１及び請求項２の発明によれば、短い方の端子金具に対しては、確認窓を通してその挿入深さを確認することができるため、端子金具が半挿入状態のまま留め置かれることを防止できる。
【０００９】
請求項３の発明によれば、確認窓がハウジングの外壁における後端から離間した位置に開口されているため、ハウジングにはその外壁の後部が切除されずに残り、ハウジング後部の強度を高めることができる。
【００１０】
請求項４の発明によれば、リテーナには、確認窓と重なる位置にリテーナ側確認窓が開口されているため、リテーナ側確認窓及び確認窓を通してキャビティ内の端子金具の後端位置を確認することができる。これによれば、リテーナをハウジングの確認窓と重なる位置に設けることができ、設計上の自由度を増すことができる。
【００１１】
【発明の実施の形態】
＜第１実施形態＞
次に本発明の第１実施形態について図１から図５を参照して説明する。本実施形態のコネクタは、図１に示すように、長さ寸法の異なる２種類の雌側端子金具１０Ｌ，１０Ｓ（長い方を１０Ｌ，短い方を１０Ｓで示す）が収容されるハウジング２０と、このハウジング２０に組み付けられる一対のリテーナ３０Ａ，３０Ｂとを備えて構成されている。
【００１２】
各雌側端子金具１０Ｌ，１０Ｓは、導電性の金属板をプレス成形することで形成され、それぞれ相手の雄側端子金具（図示せず）のタブを接続可能な箱形の端子接続部１１Ｌ，１１Ｓと、電線Ｗの端末部に圧着接続されるバレル部１２Ｌ，１２Ｓとを前後に備えている。
【００１３】
ハウジング２０は、合成樹脂材によって略箱形に形成されており、その上部における幅方向の中央には、相手の雄コネクタ（図示せず）を嵌合状態でロックするためのロックアーム２１が設けられている。ハウジング２０の内部は、上下２段に分かれ、その上段に長い方の雌側端子金具１０Ｌが収容されるキャビティ２２Ｌが左右一対設けられ、下段に短い方の雌側端子金具１０Ｓが収容されるキャビティ２２Ｓが左右方向に４つ並んで設けられている。各キャビティ２２Ｌ，２２Ｓは、前後に開口するとともに、その後側の開口から対応する雌側端子金具１０Ｌ，１０Ｓを挿入可能となっている。また、各キャビティ２２Ｌ，２２Ｓ内には、前端寄り位置に上下に撓み変形可能なランス２３Ｌ，２３Ｓが前方へ片持ち状に延出して設けられ、その先端部がキャビティ２２Ｌ，２２Ｓ内に挿入された雌側端子金具１０Ｌ，１０Ｓにおける端子接続部１１Ｌ，１１Ｓの底面に弾性的に係止可能となっている。
【００１４】
ハウジング２０の上下面には、前後方向の略中央に各キャビティ２２Ｌ，２２Ｓに連通したリテーナ取付孔２４Ａ，２４Ｂが設けられ、さらにハウジング２０の左右両側面には、各リテーナ取付孔２４Ａ，２４Ｂに対応して、本係止突起２５Ａ，２５Ｂ，ガイド突起２６Ａ，２６Ｂ，仮係止突起２７Ａ，２７Ｂが一列に並んで突設されている。
【００１５】
一方、リテーナ３０Ａ，３０Ｂは、合成樹脂材によって形成され、それぞれ、横幅方向に延びる板状の基部３１Ａ，３１Ｂと、基部３１Ａ，３１Ｂの両端から延出する一対のアーム部３２Ａ，３２Ｂとを備えて、全体としてコの字形状をなしている。リテーナ３０Ａ，３０Ｂは、ハウジング２０に対しリテーナ取付孔２４Ａ，２４Ｂを左右に跨ぐようにして組み付けられる。アーム部３２Ａ，３２Ｂには、細長く前後に傾斜したロック孔３３Ａ，３３Ｂが形成されており、リテーナ３０Ａ，３０Ｂは、ロック孔３３Ａ，３３Ｂ内にガイド突起２６Ａ，２６Ｂ及び仮係止突起２７Ａ，２７Ｂを係合させた仮係止位置（図１ないし図４参照）と、ロック孔３３Ａ，３３Ｂ内にガイド突起２６Ａ，２６Ｂ及び本係止突起２５Ａ，２５Ｂを係合させた本係止位置（図５参照）とに保持可能とされている。基部３１Ａ，３１Ｂの内面には、各キャビティ２２Ｌ，２２Ｓに対応して係止突部３４Ａ，３４Ｂが斜め前方に突出して設けられており、仮係止位置においてはこれらの係止突部３４Ａ，３４Ｂがキャビティ２２Ｌ，２２Ｓより退避してそのキャビティ２２Ｌ，２２Ｓに対する雌側端子金具１０Ｌ，１０Ｓの挿抜が許容される。また、本係止位置においては、係止突部３４Ａ，３４Ｂがキャビティ２２Ｌ，２２Ｓ内に進出して挿入された雌側端子金具１０Ｌ，１０Ｓにおける端子接続部１１Ｌ，１１Ｓの後端に係止して、これにより雌側端子金具１０Ｌ，１０Ｓが抜け止め保持される。
【００１６】
リテーナ３０Ａ，３０Ｂの基部３１Ａ，３１Ｂの後端には、横幅方向に沿って凸状をなした操作部３５Ａ，３５Ｂが設けられており、この操作部３５Ａ，３５Ｂを押圧することで仮係止位置に保持されたリテーナ３０Ａ，３０Ｂを斜め前方へ押し込んで、図５に示す本係止位置へと移動させることができるようになっている。
【００１７】
ハウジング２０の下壁（外壁）には、その後部が幅方向の全域にわたって切除されることで、短い方の雌側端子金具１０Ｓが挿入される各キャビティ２２Ｓの後部に開口した確認窓２８が形成されている。各確認窓２８は、言い換えれば下壁（外壁）の後端から前方へ延びる溝状をなしており、この確認窓２８を通してキャビティ２２Ｓ内を目視できるようになっている。なお、この確認窓２８の前端位置は、図１に示すように、キャビティ２２Ｓ内に正規の深さ位置まで挿入された雌側端子金具１０Ｓの後端の位置よりも僅かに後側になるように設定されている。
【００１８】
本実施形態は以上の構成であり、次にその作用を説明する。
組み付けの際には、まずリテーナ３０Ａ，３０Ｂを仮係止位置に保持しておき、各雌側端子金具１０Ｌ，１０Ｓを対応するキャビティ２２Ｌ，２２Ｓ内へ後方から挿入する。各雌側端子金具１０Ｌ，１０Ｓを挿入していくと、ランス２３Ｌ，２３Ｓの先端が端子接続部１１Ｌ，１１Ｓに突き当たって、ランス２３Ｌ，２３Ｓが下方へ撓み変形する。そして、雌側端子金具１０Ｌ，１０Ｓがキャビティ２２Ｌ，２２Ｓの奥端面に突き当たる正規の深さ位置まで挿入されると、ランス２３Ｌ，２３Ｓが復帰変形して端子接続部１１Ｌ，１１Ｓの底面に係止し、これにより雌側端子金具１０Ｌ，１０Ｓが抜け止め状態で一次係止される。続いて、リテーナ３０Ａ，３０Ｂを仮係止位置より本係止位置に移動させると、各係止突部３４Ａ，３４Ｂがキャビティ２２Ｌ，２２Ｓ内に深く進出して端子接続部１１Ｌ，１１Ｓの後端に係止する（図５参照）。これにより、雌側端子金具１０Ｌ，１０Ｓが抜け止め状態で二次係止され、コネクタの組み付けが完了する。
【００１９】
さて、雌側端子金具１０Ｌ，１０Ｓをキャビティ２２Ｌ，２２Ｓに挿入する際には、その挿入深さが足らずに、雌側端子金具１０Ｌ，１０Ｓがランス２３Ｌ，２３Ｓの係止する正規の深さ位置まで至らない、半挿入状態となることがある。ハウジング２０の後端から雌側端子金具１０Ｌ，１０Ｓが突出している場合には、半挿入状態であることが明らかであるので、実際には雌側端子金具１０Ｌ，１０Ｓはその後端が少なくともハウジング２０の後端よりも内側に隠れる位置までは挿入されることになる。長い方の雌側端子金具１０Ｌについては、その長さ寸法と、キャビティ２２Ｌの長さ寸法との差が僅かであることから、半挿入状態になる範囲Ｃ（雌側端子金具１０Ｌの後端位置における範囲、以下同様）は比較的小さい。そのため、長い方の雌側端子金具１０Ｌの後端がこの範囲Ｃ内にある場合には、リテーナ３０Ａを本係止位置に移動させるのに伴って、係止突部３４Ａの先端が端子接続部１１Ｌの後端に突き当たり、雌側端子金具１０Ｌが正規の深さ位置まで押し込まれる。
【００２０】
一方、短い方の雌側端子金具１０Ｓについては、その長さ寸法と、下段のキャビティ２２Ｓの長さ寸法との差が大きく、半挿入状態となる範囲Ｄが比較的大きい。そのため、短い方の雌側端子金具１０Ｓが半挿入状態の場合には、リテーナ３０Ｂを本係止位置に移動させようとした場合に、係止突部３４Ｂの先端が端子接続部１１Ｓの底面に突き当たってしまい、長い方の場合のように雌側端子金具１０Ｓを正規位置まで押し込めない場合があり得る。そこで、短い方の雌側端子金具１０Ｓをキャビティ２２Ｓに挿入した際には、確認窓２８を通してキャビティ２２Ｓ内を目視し、雌側端子金具１０Ｓの後端が確認窓２８の前端よりも奥側に隠れた位置にあることを確認する。確認窓２８から雌側端子金具１０Ｓの後端が見えた場合には、半挿入状態であるので、その雌側端子金具１０Ｓを奥方へ押し込むようにする。こうして、雌側端子金具１０Ｓを確認窓２８から隠れる位置まで挿入すると、半挿入状態であった場合にも、リテーナ３０Ｂを本係止位置に移動させれば、係止突部３４Ｂの先端が端子接続部１１Ｓの後端に突き当たり、雌側端子金具１０Ｓが正規の深さ位置まで押し込まれて、ランス２３Ｓが雌側端子金具１０Ｓに係止し、これにより組み付けが正常に完了する。
【００２１】
以上のように本実施形態によれば、長さ寸法の短い雌側端子金具１０Ｓに対ししては、確認窓２８を通してその挿入深さを確認することができるため、雌側端子金具１０Ｓが半挿入状態のまま留め置かれることを防止できる。
【００２２】
＜第２実施形態＞
次に本発明の第２実施形態について図６から図１１を参照して説明する。本実施形態のコネクタは、長さ寸法の異なる２種類の雌側端子金具４０Ｌ，４０Ｓ（長い方を４０Ｌ，短い方を４０Ｓで示す）が収容されるハウジング５０と、このハウジング５０に組み付けられる一対のリテーナ６０Ａ，６０Ｂとを備えて構成されている。
【００２３】
各雌側端子金具４０Ｌ，４０Ｓは、導電性の金属板をプレス成形することで形成され、それぞれ相手の雄側端子金具（図示せず）のタブを接続可能な箱形の端子接続部４１Ｌ，４１Ｓと、電線Ｗの端末部に圧着接続されるバレル部４２Ｌ，４２Ｓとを前後に備えている。
【００２４】
ハウジング５０は、合成樹脂材によって略箱形に形成されており、その上部における幅方向の中央には、相手の雄コネクタ（図示せず）を嵌合状態でロックするためのロックアーム５１が設けられている。ハウジング５０の内部は、上下２段に分かれ、その上段には短い方の雌側端子金具４０Ｓが収容されるキャビティ５２Ｓがロックアーム５１を挟んで左右一対ずつ並んで設けられ、下段には、中央に長い方の雌側端子金具４０Ｌが収容されるキャビティ５２Ｌが左右一対設けられ、さらにその左右両側に短い方の雌側端子金具４０Ｓが収容されるキャビティ５２Ｓが一対ずつ並んで設けられている。各キャビティ５２Ｌ，５２Ｓは、前後に開口するとともに、その後側の開口から対応する雌側端子金具４０Ｌ，４０Ｓを挿入可能となっている。また、各キャビティ５２Ｌ，５２Ｓ内には、上下に撓み変形可能なランス５３Ｌ，５３Ｓが前方へ片持ち状に延出して設けられ、その先端部がキャビティ５２Ｌ，５２Ｓ内に挿入された雌側端子金具４０Ｌ，４０Ｓの底面に弾性的に係止可能となっている。
【００２５】
ハウジング５０の上下面には、前後方向の略中央に各キャビティ５２Ｌ，５２Ｓに連通したリテーナ取付孔５４Ａ，５４Ｂが設けられ、さらにハウジング５０の左右両側面には、各リテーナ取付孔５４Ａ，５４Ｂに対応して、ガイド突起５６Ａ，５６Ｂ及び仮係止突起５７Ａ，５７Ｂが並んで突設されている。
【００２６】
一方、リテーナ６０Ａ，６０Ｂは、合成樹脂材によって形成され、それぞれ、横幅方向に延びる基部６１Ａ，６１Ｂと、基部６１Ａ，６１Ｂの両端から延出する一対のアーム部６２Ａ，６２Ｂとを備えて、全体としてコの字形状をなしている。リテーナ６０Ａ，６０Ｂは、ハウジング５０に対しリテーナ取付孔５４Ａ，５４Ｂを左右に跨ぐようにして組み付けられる。アーム部６２Ａ，６２Ｂには、細長く前後に傾斜したロック孔６３Ａ，６３Ｂが形成されており、リテーナ６０Ａ，６０Ｂは、ロック孔６３Ａ，６３Ｂ内にガイド突起５６Ａ，５６Ｂ及び仮係止突起５７Ａ，５７Ｂを係合させた仮係止位置（図６ないし図１０参照）と、ロック孔３３Ａ，３３Ｂ内にガイド突起５６Ａ，５６Ｂのみを係合させた本係止位置（図１１参照）とに保持可能とされている。基部６１Ａ，６１Ｂの内面には、各キャビティ５２Ｌ，５２Ｓに対応して係止突部６４Ａ，６４Ｂが斜め前方に突出して設けられており、仮係止位置においてはこれらの係止突部６４Ａ，６４Ｂがキャビティ５２Ｌ，５２Ｓより退避してそのキャビティ５２Ｌ，５２Ｓに対する雌側端子金具４０Ｌ，４０Ｓの挿抜が許容される。また、本係止位置においては、係止突部６４Ａ，６４Ｂがキャビティ５２Ｌ，５２Ｓ内に進出して挿入された雌側端子金具４０Ｌ，４０Ｓにおける端子接続部４１Ｌ，４１Ｓの後端に係止し、これにより雌側端子金具４０Ｌ，４０Ｓが抜け止め保持される。
【００２７】
リテーナ６０Ａ，６０Ｂの基部６１Ａ，６１Ｂの後端には、横幅方向に沿って凸状をなした操作部６５Ａ，６５Ｂが設けられており、この操作部６５Ａ，６５Ｂを押圧することで仮係止位置に保持されたリテーナ６０Ａ，６０Ｂを斜め前方へ押し込んで、図１１に示す本係止位置へと移動させることができるようになっている。
【００２８】
ハウジング５０の上下壁（外壁）には、短い方の雌側端子金具４０Ｓが挿入される各キャビティ５２Ｓの後部に開口する確認窓５８が形成されている。各確認窓５８は、ハウジング５０の外壁における後端より離間した位置に開口して前後方向に沿った溝状をなし、この確認窓５８を通してキャビティ５２Ｓ内を目視できるようになっている。なお、確認窓５８の前端位置は、図６に示すように、キャビティ５２Ｓ内に正規の深さ位置まで挿入された雌側端子金具４０Ｓの後端の位置とほぼ一致するように設定されている。また、リテーナ６０Ａ，６０Ｂの基部６１Ａ，６１Ｂには、仮係止位置において各確認窓５８の前端部に重なる位置に、リテーナ側確認窓６６が開口して形成されている。即ち、このリテーナ側確認窓６６と確認窓５８とを通して、キャビティ５２Ｓ内を目視できるようになっている。
【００２９】
本実施形態は以上の構成であり、次にその作用を説明する。
組み付けの際には、まずリテーナ６０Ａ，６０Ｂを仮係止位置に保持しておき、各雌側端子金具４０Ｌ，４０Ｓを対応するキャビティ５２Ｌ，５２Ｓ内へ後方から挿入する。各雌側端子金具４０Ｌ，４０Ｓを挿入していくと、ランス５３Ｌ，５３Ｓの先端が端子接続部４１Ｌ，４１Ｓに突き当たって、ランス５３Ｌ，５３Ｓが下方へ撓み変形する。そして、雌側端子金具４０Ｌ，４０Ｓがキャビティ５２Ｌ，５２Ｓの奥端面に突き当たる正規の深さ位置まで挿入されると、ランス５３Ｌ，５３Ｓが復帰変形して端子接続部４１Ｌ，４１Ｓの底面に係止し、これにより雌側端子金具４０Ｌ，４０Ｓが抜け止め状態で一次係止される。続いて、リテーナ６０Ａ，６０Ｂを仮係止位置より本係止位置に移動させると、各係止突部６４Ａ，６４Ｂがキャビティ５２Ｌ，５２Ｓ内に深く進出して端子接続部４１Ｌ，４１Ｓの後端に係止する（図１０参照）。これにより、雌側端子金具４０Ｌ，４０Ｓが抜け止め状態で二次係止され、コネクタの組み付けが完了する。
【００３０】
さて、雌側端子金具４０Ｌ，４０Ｓをキャビティ５２Ｌ，５２Ｓに挿入する際には、その挿入深さが足らずに、雌側端子金具４０Ｌ，４０Ｓがランス５３Ｌ，５３Ｓの係止する正規の深さ位置まで至らない、半挿入状態となることがある。ハウジング５０の後端から雌側端子金具４０Ｌ，４０Ｓが突出している場合には、半挿入状態であることが明らかであるので、実際には雌側端子金具４０Ｌ，４０Ｓはその後端が少なくともハウジング５０の後端よりも内側に隠れる位置までは挿入されることになる。長い方の雌側端子金具４０Ｌについては、その長さ寸法と、キャビティ５２Ｌの長さ寸法との差が僅かであることから、半挿入状態になる範囲Ｅ（雌側端子金具４０Ｌの後端位置における範囲、以下同様）は比較的小さい。そのため、長い方の雌側端子金具４０Ｌの後端がこの範囲Ｅ内にある場合には、リテーナ６０Ｂを本係止位置に移動させるのに伴って、係止突部６４Ｂの先端が端子接続部４１Ｌの後端に突き当たり、雌側端子金具４０Ｌが正規の深さ位置まで押し込まれる。
【００３１】
一方、短い方の雌側端子金具４０Ｓについては、その長さ寸法と、下段のキャビティ５２Ｓの長さ寸法との差が大きく、半挿入状態となる範囲Ｆが比較的大きい。そのため、短い方の雌側端子金具４０Ｓが半挿入状態の場合には、リテーナ６０Ａ，６０Ｂを本係止位置に移動させようとした場合に、係止突部６４Ａ，６４Ｂの先端が端子接続部４１Ｓの外周面に突き当たってしまい、長い方の場合のように雌側端子金具４０Ｓを正規の深さ位置まで押し込めない場合があり得る。そこで、短い方の雌側端子金具４０Ｓをキャビティ５２Ｓに挿入した際には、確認窓５８及びリテーナ側確認窓６６を通してキャビティ５２Ｓ内を目視し、雌側端子金具４０Ｓの後端が確認窓５８からほぼ隠れた位置にあることを確認する。雌側端子金具４０Ｓの後端が確認窓５８の前端よりも後側にある場合には、半挿入状態であるので、その雌側端子金具４０Ｓを奥方へ押し込む。こうして、雌側端子金具４０Ｓを確認窓５８からほぼ隠れる位置まで挿入すると、雌側端子金具４０Ｓはランス５３Ｓの係止する正規の深さ位置にあることになる。従って、リテーナ６０Ａ，６０Ｂを本係止位置に移動させれば、係止突部６４Ａ，６４Ｂの先端が端子接続部４１Ｓの後端に係止し、これにより組み付けが正常に完了する。
【００３２】
以上のように本実施形態によれば、長さ寸法の短い雌側端子金具４０Ｓに対ししては、確認窓５８を通してその挿入深さを確認することができるため、雌側端子金具４０Ｓが半挿入状態のまま留め置かれることを防止できる。
また、確認窓５８がハウジング５０の上下壁における後端から離間した位置に開口されているため、ハウジング５０の後端には下壁後部が切除されずに残る。そのため、確認窓が下壁の後端まで切り欠かれた形態のもの（第１実施形態参照）に比べハウジング５０後部の強度を高めることができる。
また、リテーナ６０Ａ，６０Ｂには、確認窓５８と重なる位置にリテーナ側確認窓６６が開口されているため、リテーナ側確認窓６６及び確認窓５８を通してキャビティ５２Ｓ内の雌側端子金具４０Ｓの後端位置を確認することができる。これによれば、リテーナ６０Ａ，６０Ｂをハウジング５０の確認窓５８と重なる位置に設けることができ、設計上の自由度を増すことができる。
【００３３】
＜他の実施形態＞
図１２及び図１３は、本発明の他の実施形態を示しており、このものは第１実施形態における確認窓２８の形態を変更したものである。このものでは、ハウジング２０の下壁（外壁）における後端から所定長さ離間した部分を幅方向の全域にわたって切除することで、短い方の雌側端子金具１０Ｓが挿入される各キャビティ２２Ｓの後部に開口する長方形の確認窓７０が形成されており、この確認窓７０を通してキャビティ２２Ｓ内を目視できるようになっている。また、ハウジング２０の後端には下壁後部７１がハウジング２０の全幅にわたって切除されずに残っている。本実施形態によれば、ハウジング２０の後端に下壁後部７１があることで、第１実施形態のものに比べてハウジング２０後部の強度が高まる。
【００３４】
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）本発明は、端子金具を二重係止するリテーナを備えていないものにも適用することができ、またリテーナが端子金具の半挿入状態を矯正する機能を持たないものにも適用することができる。
（２）上記各実施形態では、端子金具が正規の深さ位置まで挿入されたときに確認窓より隠れるようにしたが、本発明によれば、例えば端子金具が正規の深さ位置まで挿入されたときに、その後端を確認窓から目視できるようにしても良い。（３）本発明は、雄側端子金具をハウジングに収容する雄側のコネクタにも適用することができる。
（４）本発明は、長さ寸法の互いに異なる３種類以上の端子金具をハウジングに収容するコネクタにも適用することができる。
【図面の簡単な説明】
【図１】第１実施形態におけるコネクタの縦断面図
【図２】コネクタの背面図
【図３】コネクタの側面図
【図４】コネクタの底面図
【図５】リテーナを本係止位置に組み付けた状態のコネクタの縦断面図
【図６】第２実施形態におけるコネクタの縦断面図
【図７】コネクタの別の縦断面図
【図８】コネクタの背面図
【図９】コネクタの側面図
【図１０】コネクタの平面図
【図１１】リテーナを本係止位置に組み付けた状態のコネクタの縦断面図
【図１２】他の実施形態におけるコネクタの縦断面図
【図１３】コネクタの底面図
【図１４】従来例におけるコネクタの縦断面図
【符号の説明】
１０Ｌ，１０Ｓ，４０Ｌ，４０Ｓ…雌側端子金具（端子金具）
２０，５０…ハウジング
２２Ｌ，２２Ｓ，５２Ｌ，５２Ｓ…キャビティ
２８，５８，７０…確認窓
３０Ａ，３０Ｂ，６０Ａ，６０Ｂ…リテーナ
６６…リテーナ側確認窓
【図１】
2004055227.tif 000003
【図２】
2004055227.tif 000004
【図３】
2004055227.tif 000005
【図４】
2004055227.tif 000006
【図５】
2004055227.tif 000007
【図６】
2004055227.tif 000008
【図７】
2004055227.tif 000009
【図８】
2004055227.tif 000010
【図９】
2004055227.tif 000011
【図１０】
2004055227.tif 000012
【図１１】
2004055227.tif 000013
【図１２】
2004055227.tif 000014
【図１３】
2004055227.tif 000015
【図１４】
2004055227.tif 000016